(57)【要約】【課題】  ＲＦ再生信号の書き込みピット部分の歪みやＬＰＰ信号による歪みの影響を受けずに適正にコマ収差量の検出を行う。【解決手段】  光ピックアップによって光ディスクから再生されたＲＦ再生信号を用いて収差量を検出する場合に、ＲＦ再生信号のスペース部を用いて収差量の検出を行うとともに、ＲＦ再生信号のＬＰＰ信号が含まれない領域を用いて収差量の検出を行う。例えば、プッシュプル信号検出回路により、現在レーザが照射されているトラック（または隣接トラック）に対するＬＰＰ信号を検出、監視し、ＬＰＰ信号が存在するフレームパターン信号については収差量検出を行わないようにする。【選択図】        図１
2005310248.tif 000002
【特許請求の範囲】
【請求項１】
光記録媒体に対して少なくとも信号の再生を行う光ピックアップと、
前記光ピックアップによって光記録媒体から再生されたＲＦ再生信号から収差量を検出することでＲＦ再生信号品質を検出するＲＦ信号品質検出手段とを有し、
前記ＲＦ信号品質検出手段は、前記ＲＦ再生信号のスペース部の特定箇所のレベルを検出し、その検出結果に基づいて収差量の検出を行う、
ことを特徴とする光記録媒体再生装置。
【請求項２】
前記ＲＦ信号品質検出手段の前段にＲＦ再生信号をイコライズ処理するイコライザを有することを特徴とする請求項１記載の光記録媒体再生装置。
【請求項３】
前記イコライザの前段にアナログＲＦ信号をデジタルＲＦ信号に変換するＡ／Ｄ変換器を有することを特徴とする請求項２記載の光記録媒体再生装置。
【請求項４】
前記Ａ／Ｄ変換器の前段にＲＦ再生信号の低周波信号成分振幅が一定となるようにゲイン調整を行うオートゲイン調整回路を有することを特徴とする請求項３記載の光記録媒体再生装置。
【請求項５】
前記イコライザの後段にデジタルＲＦ信号をアナログＲＦ信号に変換するＤ／Ａ変換器を有することを特徴とする請求項３記載の光記録媒体再生装置。
【請求項６】
前記Ａ／Ｄ変換器の前段でアナログＲＦ信号を所定のしきい値電圧で比較出力したエッジ信号を元にしてＰＬＬ同期クロックを発生するＰＬＬ回路を有することを特徴とする請求項５記載の光記録媒体再生装置。
【請求項７】
前記イコライザ、Ａ／Ｄ変換器、及びＤ／Ａ変換器は、前記ＰＬＬ回路によるＰＬＬ同期クロックによって同期することを特徴とする請求項６記載の光記録媒体再生装置。
【請求項８】
前記Ｄ／Ａ変換器の後段でアナログＲＦ信号を所定のしきい値電圧で比較出力したエッジ信号を元にしてＰＬＬ同期クロックを発生するＰＬＬ回路を有することを特徴とする請求項５記載の光記録媒体再生装置。
【請求項９】
前記イコライザ、Ａ／Ｄ変換器、及びＤ／Ａ変換器は、前記ＰＬＬ回路によるＰＬＬ同期クロックによって同期することを特徴とする請求項８記載の光記録媒体再生装置。
【請求項１０】
前記イコライザの前段または後段にＲＦ信号のうちの最長周期スペース信号を含む所定の特定パターン信号を判別するフレームパターン検知器を有することを特徴とする請求項２記載の光記録媒体再生装置。
【請求項１１】
前記ＲＦ信号品質検出手段は、前記フレームパターン検知器によって検知されたフレームパターン信号を用いて最長周期スペース信号の所定の２点の信号レベルを検出し、その信号レベル差によって収差量を算出することを特徴とする請求項１０記載の光記録媒体再生装置。
【請求項１２】
前記信号レベル差の大きさでＲＦ信号品質度合いを判定することを特徴とする請求項１１記載の光記録媒体再生装置。
【請求項１３】
前記信号レベル差の極性で劣化ＲＦ信号のＰＴＦ位相方向を判定することを特徴とする請求項１１記載の光記録媒体再生装置。
【請求項１４】
前記イコライザは、歪んで再生されたＲＦ信号に対してアダプティブなイコライズ処理を行うことによって歪みを緩和し、信号特性を改善するアダプティブイコライザを含むことを特徴とする請求項２記載の光記録媒体再生装置。
【請求項１５】
前記アダプティブイコライザの前段または後段にＲＦ信号のうちの最長周期スペース信号を含む所定の特定パターン信号を判別するフレームパターン検知器を有することを特徴とする請求項１４記載の光記録媒体再生装置。
【請求項１６】
前記ＲＦ信号品質検出手段は、前記フレームパターン検知器によって検知されたフレームパターン信号を用いて最長周期スペース信号の所定の２点の信号レベルを検出し、その信号レベル差によって収差量を算出することを特徴とする請求項１５記載の光記録媒体再生装置。
【請求項１７】
前記信号レベル差の大きさでＲＦ信号品質度合いを判定することを特徴とする請求項１６記載の光記録媒体再生装置。
【請求項１８】
前記信号レベル差の極性で劣化ＲＦ信号のＰＴＦ位相方向を判定することを特徴とする請求項１６記載の光記録媒体再生装置。
【請求項１９】
光記録媒体に対して少なくとも信号の再生を行う光ピックアップと、
前記光ピックアップによって光記録媒体から再生されたＲＦ再生信号から収差量を検出することでＲＦ再生信号品質を検出するＲＦ信号品質検出手段とを有し、
前記光記録媒体は予めＬＰＰ信号を記録したランドを有し、
前記ＲＦ信号品質検出手段は、前記ＲＦ再生信号のスペース部の特定箇所のレベルを検出し、その検出結果に基づいて収差量の検出を行い、
かつ、前記ＲＦ再生信号のＬＰＰ信号が含まれない領域を用いて収差量の検出を行う
ことを特徴とする光記録媒体再生装置。
【請求項２０】
前記ＲＦ信号品質検出手段の前段にＲＦ再生信号をイコライズ処理するイコライザを有することを特徴とする請求項１９記載の光記録媒体再生装置。
【請求項２１】
前記イコライザの前段にアナログＲＦ信号をデジタルＲＦ信号に変換するＡ／Ｄ変換器を有することを特徴とする請求項２０記載の光記録媒体再生装置。
【請求項２２】
前記Ａ／Ｄ変換器の前段にＲＦ再生信号の低周波信号成分振幅が一定となるようにゲイン調整を行うオートゲイン調整回路を有することを特徴とする請求項２１記載の光記録媒体再生装置。
【請求項２３】
前記イコライザの後段にデジタルＲＦ信号をアナログＲＦ信号に変換するＤ／Ａ変換器を有することを特徴とする請求項２１記載の光記録媒体再生装置。
【請求項２４】
前記Ａ／Ｄ変換器の前段でアナログＲＦ信号を所定のしきい値電圧で比較出力したエッジ信号を元にしてＰＬＬ同期クロックを発生するＰＬＬ回路を有することを特徴とする請求項２３記載の光記録媒体再生装置。
【請求項２５】
前記イコライザ、Ａ／Ｄ変換器、及びＤ／Ａ変換器は、前記ＰＬＬ回路によるＰＬＬ同期クロックによって同期することを特徴とする請求項２４記載の光記録媒体再生装置。
【請求項２６】
前記Ｄ／Ａ変換器の後段でアナログＲＦ信号を所定のしきい値電圧で比較出力したエッジ信号を元にしてＰＬＬ同期クロックを発生するＰＬＬ回路を有することを特徴とする請求項２４記載の光記録媒体再生装置。
【請求項２７】
前記イコライザ、Ａ／Ｄ変換器、及びＤ／Ａ変換器は、前記ＰＬＬ回路によるＰＬＬ同期クロックによって同期することを特徴とする請求項２６記載の光記録媒体再生装置。
【請求項２８】
前記イコライザの前段または後段にＲＦ信号のうちの最長周期スペース信号を含む所定の特定パターン信号を判別するフレームパターン検知器を有することを特徴とする請求項２０記載の光記録媒体再生装置。
【請求項２９】
前記ＲＦ信号品質検出手段は、前記フレームパターン検知器によって検知されたフレームパターン信号を用いて最長周期スペース信号の所定の２点の信号レベルを検出し、その信号レベル差によって収差量を算出することを特徴とする請求項２８記載の光記録媒体再生装置。
【請求項３０】
前記信号レベル差の大きさでＲＦ信号品質度合いを判定することを特徴とする請求項２９記載の光記録媒体再生装置。
【請求項３１】
前記信号レベル差の極性で劣化ＲＦ信号のＰＴＦ位相方向を判定することを特徴とする請求項２９記載の光記録媒体再生装置。
【請求項３２】
前記イコライザは、歪んで再生されたＲＦ信号に対してアダプティブなイコライズ処理を行うことによって歪みを緩和し、信号特性を改善するアダプティブイコライザを含むことを特徴とする請求項２０記載の光記録媒体再生装置。
【請求項３３】
前記アダプティブイコライザの前段または後段にＲＦ信号のうちの最長周期スペース信号を含む所定の特定パターン信号を判別するフレームパターン検知器を有することを特徴とする請求項３２記載の光記録媒体再生装置。
【請求項３４】
前記ＲＦ信号品質検出手段は、前記フレームパターン検知器によって検知されたフレームパターン信号を用いて最長周期スペース信号の所定の２点の信号レベルを検出し、その信号レベル差によって収差量を算出することを特徴とする請求項３３記載の光記録媒体再生装置。
【請求項３５】
前記信号レベル差の大きさでＲＦ信号品質度合いを判定することを特徴とする請求項３４記載の光記録媒体再生装置。
【請求項３６】
前記信号レベル差の極性で劣化ＲＦ信号のＰＴＦ位相方向を判定することを特徴とする請求項３４記載の光記録媒体再生装置。
【請求項３７】
前記ＬＰＰ信号を検出するためのプッシュプル信号検出回路を有することを特徴とする請求項１９記載の光記録媒体再生装置。
【請求項３８】
前記プッシュプル信号検出回路は、現在レーザが照射されているトラックに対するＬＰＰ信号を常時検出、監視し、ＬＰＰ信号が存在するフレームパターン信号については収差量検出を行わないことを特徴とする請求項３７記載の光記録媒体再生装置。
【請求項３９】
前記プッシュプル信号検出回路は、現在レーザが照射されているトラックに対するＬＰＰ信号を１度以上監視し、光記録媒体上の全ＬＰＰ信号位置を予測し、ＬＰＰ信号が存在するフレームパターン信号、またはＬＰＰ信号が存在すると予想されるフレームパターン信号については収差量検出を行わないことを特徴とする請求項３７記載の光記録媒体再生装置。
【請求項４０】
前記プッシュプル信号検出回路は、現在レーザが照射されているトラックの隣接トラックに対するＬＰＰ信号を常時検出、監視し、ＬＰＰ信号の存在するフレームパターン信号については収差量検出を行わないことを特徴とする請求項３７記載の光記録媒体再生装置。
【請求項４１】
前記プッシュプル信号検出回路は、現在レーザが照射されているトラックの隣接トラックに対するＬＰＰ信号を１度以上監視し、光記録媒体上の全ＬＰＰ信号位置を予測し、ＬＰＰ信号が存在するフレームパターン信号、またはＬＰＰ信号が存在すると予想されるフレームパターン信号については収差量検出を行わないことを特徴とする請求項３７記載の光記録媒体再生装置。
【請求項４２】
光記録媒体に対して少なくとも信号の再生を行う光ピックアップと、
前記光ピックアップによって光記録媒体から再生されたＲＦ再生信号から収差量を検出することでＲＦ再生信号品質を検出するＲＦ信号品質検出手段とを有する光記録媒体再生装置の収差量検出方法であって、
前記ＲＦ再生信号のスペース部の特定箇所のレベルを検出し、その検出結果に基づいて収差量の検出を行う、
ことを特徴とする収差量検出方法。
【請求項４３】
前記収差量検出はＲＦ再生信号をイコライズ処理した信号について行うことを特徴とする請求項４２記載の収差量検出方法。
【請求項４４】
前記イコライズ処理されたＲＦ再生信号に対するフレームパターン検知を行い、その検知されたフレームパターン信号を用いて最長周期スペース信号の所定の２点の信号レベルを検出し、その信号レベル差によって収差量を算出することを特徴とする請求項４３記載の収差量検出方法。
【請求項４５】
前記信号レベル差の大きさでＲＦ信号品質度合いを判定することを特徴とする請求項４４記載の収差量検出方法。
【請求項４６】
前記信号レベル差の極性で劣化ＲＦ信号のＰＴＦ位相方向を判定することを特徴とする請求項４４記載の収差量検出方法。
【請求項４７】
前記イコライズ処理は、歪んで再生されたＲＦ信号に対してアダプティブなイコライズ処理を行うことによって歪みを緩和し、信号特性を改善するアダプティブイコライズ処理を含むことを特徴とする請求項４３記載の収差量検出方法。
【請求項４８】
前記アダプティブイコライズ処理されたＲＦ再生信号に対するフレームパターン検知を行い、その検知されたフレームパターン信号を用いて最長周期スペース信号の所定の２点の信号レベルを検出し、その信号レベル差によって収差量を算出することを特徴とする請求項４７記載の収差量検出方法。
【請求項４９】
前記信号レベル差の大きさでＲＦ信号品質度合いを判定することを特徴とする請求項４８記載の収差量検出方法。
【請求項５０】
前記信号レベル差の極性で劣化ＲＦ信号のＰＴＦ位相方向を判定することを特徴とする請求項４８記載の収差量検出方法。
【請求項５１】
光記録媒体に対して少なくとも信号の再生を行う光ピックアップと、
前記光ピックアップによって光記録媒体から再生されたＲＦ再生信号から収差量を検出することでＲＦ再生信号品質を検出するＲＦ信号品質検出手段とを有する光記録媒体再生装置の収差量検出方法であって、
前記光記録媒体は予めＬＰＰ信号を記録したランドを有し、
前記ＲＦ信号品質検出手段は、前記ＲＦ再生信号のスペース部の特定箇所のレベルを検出し、その検出結果に基づいて収差量の検出を行い、
かつ、前記ＲＦ再生信号のＬＰＰ信号が含まれない領域を用いて収差量の検出を行う
ことを特徴とする収差量検出方法。
【請求項５２】
前記収差量検出はＲＦ再生信号をイコライズ処理した信号について行うことを特徴とする請求項５１記載の収差量検出方法。
【請求項５３】
前記イコライズ処理されたＲＦ再生信号に対するフレームパターン検知を行い、その検知されたフレームパターン信号を用いて最長周期スペース信号の所定の２点の信号レベルを検出し、その信号レベル差によって収差量を算出することを特徴とする請求項５２記載の収差量検出方法。
【請求項５４】
前記信号レベル差の大きさでＲＦ信号品質度合いを判定することを特徴とする請求項５３記載の収差量検出方法。
【請求項５５】
前記信号レベル差の極性で劣化ＲＦ信号のＰＴＦ位相方向を判定することを特徴とする請求項５３記載の収差量検出方法。
【請求項５６】
前記イコライズ処理は、歪んで再生されたＲＦ信号に対してアダプティブなイコライズ処理を行うことによって歪みを緩和し、信号特性を改善するアダプティブイコライズ処理を含むことを特徴とする請求項５２記載の収差量検出方法。
【請求項５７】
前記アダプティブイコライズ処理されたＲＦ再生信号に対するフレームパターン検知を行い、その検知されたフレームパターン信号を用いて最長周期スペース信号の所定の２点の信号レベルを検出し、その信号レベル差によって収差量を算出することを特徴とする請求項５６記載の収差量検出方法。
【請求項５８】
前記信号レベル差の大きさでＲＦ信号品質度合いを判定することを特徴とする請求項５７記載の収差量検出方法。
【請求項５９】
前記信号レベル差の極性で劣化ＲＦ信号のＰＴＦ位相方向を判定することを特徴とする請求項５７記載の収差量検出方法。
【請求項６０】
前記ＬＰＰ信号はプッシュプル信号から検出することを特徴とする請求項５１記載の収差量検出方法。
【請求項６１】
前記プッシュプル信号の検出によって、現在レーザが照射されているトラックに対するＬＰＰ信号を常時検出、監視し、ＬＰＰ信号が存在するフレームパターン信号については収差量検出を行わないことを特徴とする請求項６０記載の収差量検出方法。
【請求項６２】
前記プッシュプル信号の検出によって、現在レーザが照射されているトラックに対するＬＰＰ信号を１度以上監視し、光記録媒体上の全ＬＰＰ信号位置を予測し、ＬＰＰ信号が存在するフレームパターン信号、またはＬＰＰ信号が存在すると予想されるフレームパターン信号については収差量検出を行わないことを特徴とする請求項６０記載の収差量検出方法。
【請求項６３】
前記プッシュプル信号の検出によって、現在レーザが照射されているトラックの隣接トラックに対するＬＰＰ信号を常時検出、監視し、ＬＰＰ信号の存在するフレームパターン信号については収差量検出を行わないことを特徴とする請求項６０記載の収差量検出方法。
【請求項６４】
前記プッシュプル信号の検出によって、現在レーザが照射されているトラックの隣接トラックに対するＬＰＰ信号を１度以上監視し、光記録媒体上の全ＬＰＰ信号位置を予測し、ＬＰＰ信号が存在するフレームパターン信号、またはＬＰＰ信号が存在すると予想されるフレームパターン信号については収差量検出を行わないことを特徴とする請求項６０記載の収差量検出方法。
【発明の詳細な説明】
【技術分野】
【０００１】
本発明は、各種光記録媒体の少なくとも再生を行うディスクの光記録媒体再生装置に関し、特に光記録媒体から再生されたＲＦ再生信号から収差量を検出して収差補正を行う光記録媒体再生装置及びその収差量検出方法に関する。
【背景技術】
【０００２】
従来より、ＤＶＤやＣＤといった光ディスクの再生装置において、光ディスク上で生じた収差(特にタンジェンシャル方向のコマ収差)が再生信号品質に悪影響を及ぼすことが知られており、このような収差を検出して補正を行うことが要望されている。
そこで、本件出願人は、このような収差補正を行う方法として、光ディスクからのＲＦ再生信号の波形歪みからタンジェンシャル方向のコマ収差量を検出し、その補正を行うようにしたシステムを提案している（例えば、特許文献１参照）。
この特許文献１では、光ディスクから再生されたＲＦ再生信号のピット信号のフラットな部分の２つの点の信号レベルを検出し、そのレベル差に基づいて波形歪みを検出する構成について提案している。
【特許文献１】特開２００３−３０８６１５号
【発明の開示】
【発明が解決しようとする課題】
【０００３】
しかしながら、上記特許文献１に係るシステムでは、ＲＦ再生信号のピット信号を用いることから、特にＲメディア（ＤＶＤ＋Ｒ、ＤＶＤ−Ｒ等）のピット信号でコマ収差量を検出した場合には、書き込みピット歪みによる影響から正確なコマ収差量を検出することができないという課題がある。
例えば、図１４はＤＶＤ＋Ｒにおける１４Ｔのピット信号の波形例を示している。図示の例は、タンジェンシャルスキューのない状態で観測される波形であるが、図示のように、本来はフラットに出力されるはずのＡ点及びＢ点の波形が全体に歪みを有しており、このような歪を有する波形でレベル検出によるコマ収差量検出を適正に行うことは困難である。
また、ピット信号の代わりにスペース信号を用いてコマ収差量を検出することも可能であるが、この場合、特に−Ｒメディア（ＤＶＤ−Ｒ等）においては、予めランド部に形成されるアドレス情報用のＬＰＰ（ランドプリピット）信号がＲＦ信号にもれ込む影響から、やはり正確なコマ収差量検出はできないことになる。
図１５はＤＶＤ−ＲにおけるＬＰＰ信号の影響を示す波形例を示しており、下段がランドを検出するためのプッシュプル信号を示し、上段がＲＦ再生信号となる和信号を示している。図示のように、プッシュプル信号のＬＰＰ信号検出部分は楔状の波形となるが、これに対応する部分で和信号も乱れた波形になり、この部分のＲＦ信号でコマ収差量の検出を行うと、やはり適正な検出が妨げられるという課題がある。
そこで本発明は、ＲＦ再生信号の書き込みピット部分が歪みを有するような光記録媒体やＲＦ再生信号にＬＰＰ信号による歪みを有する光記録媒体に対しても、コマ収差量の検出を適正に行うことが可能な光記録媒体再生装置を提供することを目的とする。
【課題を解決するための手段】
【０００４】
上述の目的を達成するため、本発明の光記録媒体再生装置は、光記録媒体に対して少なくとも信号の再生を行う光ピックアップと、前記光ピックアップによって光記録媒体から再生されたＲＦ再生信号から収差量を検出することでＲＦ再生信号品質を検出するＲＦ信号品質検出手段とを有し、前記ＲＦ信号品質検出手段は、前記ＲＦ再生信号のスペース部の特定箇所のレベルを検出し、その検出結果に基づいて収差量の検出を行うことを特徴とする。
また、本発明の光記録媒体再生装置は、光記録媒体に対して少なくとも信号の再生を行う光ピックアップと、前記光ピックアップによって光記録媒体から再生されたＲＦ再生信号から収差量を検出することでＲＦ再生信号品質を検出するＲＦ信号品質検出手段とを有し、前記光記録媒体は予めＬＰＰ信号を記録したランドを有し、前記ＲＦ信号品質検出手段は、前記ＲＦ再生信号のスペース部の特定箇所のレベルを検出し、その検出結果に基づいて収差量の検出を行い、かつ、前記ＲＦ再生信号のＬＰＰ信号が含まれない領域を用いて収差量の検出を行うことを特徴とする。
【０００５】
また、本発明の収差量検出方法は、光記録媒体に対して少なくとも信号の再生を行う光ピックアップと、前記光ピックアップによって光記録媒体から再生されたＲＦ再生信号から収差量を検出することでＲＦ再生信号品質を検出するＲＦ信号品質検出手段とを有する光記録媒体再生装置の収差量検出方法であって、前記ＲＦ再生信号のスペース部の特定箇所のレベルを検出し、その検出結果に基づいて収差量の検出を行うことを特徴とする。
また、本発明の収差量検出方法は、光記録媒体に対して少なくとも信号の再生を行う光ピックアップと、前記光ピックアップによって光記録媒体から再生されたＲＦ再生信号から収差量を検出することでＲＦ再生信号品質を検出するＲＦ信号品質検出手段とを有する光記録媒体再生装置の収差量検出方法であって、前記光記録媒体は予めＬＰＰ信号を記録したランドを有し、前記ＲＦ信号品質検出手段は、前記ＲＦ再生信号のスペース部の特定箇所のレベルを検出し、その検出結果に基づいて収差量の検出を行い、かつ、前記ＲＦ再生信号のＬＰＰ信号が含まれない領域を用いて収差量の検出を行うことを特徴とする。
【発明の効果】
【０００６】
本発明の光記録媒体再生装置及び収差量検出方法によれば、ＲＦ信号品質検出手段においてＲＦ再生信号のスペース部の特定箇所のレベルを検出し、その検出結果に基づいて収差量の検出を行うことから、ＲＦ再生信号の書き込みピット部分が歪みを有する場合でも、スペース部を用いて適正なコマ収差量検出を行うことができる効果がある。
また、本発明の光記録媒体再生装置及び収差量検出方法によれば、ＲＦ信号品質検出手段においてＲＦ再生信号のスペース部の特定箇所のレベルを検出し、その検出結果に基づいて収差量の検出を行い、かつ、ＲＦ再生信号のＬＰＰ信号が含まれない領域を用いて収差量の検出を行うことから、ＲＦ再生信号の書き込みピット部分が歪みを有する場合で、しかも、スペース部にＬＰＰ信号によるもれ込み歪が存在する場合であっても、このＬＰＰ信号による歪のないスペース部を用いて適正なコマ収差量検出を行うことができる効果がある。
【発明を実施するための最良の形態】
【０００７】
本発明の実施の形態による光記録媒体再生装置及び収差量検出方法は、光ピックアップによって光ディスクから再生されたＲＦ再生信号を用いて収差量を検出する場合に、ＲＦ再生信号のスペース部を用いて収差量の検出を行うとともに、ＲＦ再生信号のＬＰＰ信号が含まれない領域を用いて収差量の検出を行う。
光ディスクから再生されたＲＦ再生信号は、オートゲイン調整回路を経てＡ／Ｄ変換器を通してディジタル信号に変換されてイコライザ（アダプティブイコライザ）に入力され、イコライズ処理された後、ＲＦ信号品質検出部に入力され、収差量の検出が行われる。また、イコライズ処理された信号はＤ／Ａ変換器を通してアナログ信号に変換され、ＰＬＬ回路に入力され、ＰＬＬ同期クロックが生成される。
また、イコライザの前段または後段にＲＦ信号のうちの最長周期スペース信号（１４Ｔ）を含む所定の特定パターン信号を判別するフレームパターン検知器を設け、このフレームパターン検知器によって検知されたフレームパターン信号を用いて最長周期スペース信号の所定の２点の信号レベルを検出し、その信号レベル差によって収差量を算出する。そして、信号レベル差の大きさでＲＦ信号品質度合いを判定し、信号レベル差の極性で劣化ＲＦ信号のＰＴＦ位相方向を判定する。
また、ＬＰＰ信号を検出するためのプッシュプル信号検出回路を有し、このプッシュプル信号検出回路により、現在レーザが照射されているトラック（または隣接トラック）に対するＬＰＰ信号を常時検出、監視し、ＬＰＰ信号が存在するフレームパターン信号については収差量検出を行わない、あるいは、現在レーザが照射されているトラック（または隣接トラック）に対するＬＰＰ信号を１度以上監視し、光記録媒体上の全ＬＰＰ信号位置を予測し、ＬＰＰ信号が存在するフレームパターン信号、またはＬＰＰ信号が存在すると予想されるフレームパターン信号については収差量検出を行わないようにする。
【実施例１】
【０００８】
図１は本発明の実施例による光ディスク再生装置の全体構成を示すブロック図である。
図示のように本実施例の光ディスク再生装置は、ＤＶＤ再生装置として構成されており、ＤＶＤを再生する光ピックアップ１０、ＲＦ信号を増幅するＲＦアンプ回路２０、ＲＦ信号のゲイン調整を行うオートゲイン調整回路３０、デジタルＲＦ信号のイコライズ処理を行うイコライザ部４０、ＲＦ信号の品質を判定するＲＦ信号品質検出器５０、ＲＦ信号からプッシュプル信号を検出するプッシュプル信号検出回路６０、ＲＦ信号からＬＰＰ信号を検出するＬＰＰ検知回路７０、ＲＦ信号からＰＬＬ同期クロックを生成するＰＬＬ部８０、アナログＲＦ信号をデジタル信号に変換するＡ／Ｄ変換器９０、デジタルＲＦ信号をアナログＲＦ信号に変換するＤ／Ａ変換器１００を有する。
【０００９】
このような光ディスク再生装置において、まず光ピックアップ１０により光信号として再生され、電気信号に変換された光ディスク信号は二系統に分かれる。
一方はＲＦアンプ回路２０によってＲＦ信号に変換され、オートゲイン調整回路３０によって任意の振幅レベルにゲイン調整され、続いてＡ／Ｄ変換器９０によってデジタル数値化される。もう一方はプッシュプル信号検出回路６０にてプッシュプル信号に変換され、ＬＰＰ検知回路７０にてＬＰＰ信号の有無が検出される。
ここでＬＰＰ検知回路７０は２個のＬＰＰ比較器（コンパレータ）７１、７２とＯＲゲート７３で構成され、図１（ｂ）のタイミングチャートに示すように、それぞれのＬＰＰ比較器７１、７２がプッシュプル信号からＬＰＰ信号の検知を行い、それをＯＲしたＬＰＰ検知信号がＯＲゲート７３からＲＦ信号品質検出器５０のフレームパターン検知器５１に出力される。なお、図示のように、この場合のＬＰＰ検知信号は、後段のフレームパターン検知器５１においてＬＰＰ信号の影響を完全に無視できるだけの十分なパルス幅で出力され、動作の信頼性を確保している。
ＬＰＰ比較器７１、７２が２個あるのは、現在トラッキングがかかっているトラック（on track）と隣のトラック（prev. track）のどちらのＬＰＰも検出する必要があるためである。ただし、ここで必要な情報はＬＰＰ信号の有無のみであり、ＬＰＰ信号がトラッキング中のトラック（on track）にあるか、隣接トラック（prev. track）にあるかは特に問題ではないため、後段のフレームパターン検知器５１には２つのトラック（on track、prev. track）からの２入力をＯＲゲート７３を通して伝えている。
【００１０】
次にイコライザ部４０について概略を説明する。
Ａ／Ｄ変換器９０によってデジタル数値化されたＲＦ信号はイコライザ部４０に入力され任意の固定係数値にて波形整形（イコライズ）が行われ、フレームパターン検知器５１にてイコライズ後のＲＦ信号のうち収差量検出パターン（４Ｔ＋４Ｔ＋１４Ｔ＋４Ｔ＋４Ｔ）が検知され、ＲＦ信号品質検出器５０にてイコライズ後ＲＦ信号の収差量検出が行われる。
また、イコライズが行われたデジタルＲＦ信号はＤ／Ａ変換器１００によってアナログ信号化され、ＰＬＬ部８０に供給される。
ＰＬＬ部８０において、Ｄ／Ａ変換器１００によってアナログ信号化されたＲＦ信号はＲＦ比較器８２によって任意のしきい値で２値化され、ＲＦ ＰＬＬ回路８１によってディスク信号に含まれるチャンネルクロック信号（ＰＬＣＫ）が抽出され、このＰＬＣＫあるいはこれに同期した信号がイコライザブロック、Ａ／Ｄ変換器９０、Ｄ／Ａ変換器１００の基準動作クロックとしてそれぞれの回路に入力される。
【００１１】
次に、イコライザ部４０及びＲＦ信号品質検出器５０の詳細について説明する。図３はイコライザ部４０及びＲＦ信号品質検出器５０の構成例を示す回路図である。
まずイコライザ部４０の機能について説明する。このイコライザ部４０は、既にＤＶＤ装置においてはフォーマット上に規定されているものであり、複数段の遅延器４１、加算器４２、乗算器４３、及び減算器４４を有して構成されている。このイコライザ部４０によってイコライズ（ｅｑ）前ＲＦ信号のＭＴＦ（Ｍｏｄｕｌａｔｉｏｎ  Ｔｒａｎｓｆｅｒ  Ｆｕｎｃｉｔｏｎ：振幅伝達特性）劣化分に対する波形整形が可能となる。この処理によってイコライザ部４０の後段には、特にタンジェンシャルスキューによるコマ収差により発生するＰＴＦ（Ｐｈａｓｅ  Ｔｒａｎｓｆｅｒ  Ｆｕｎｃｔｉｏｎ：位相伝達特性）劣化分のみがＭＴＦ劣化分の影響を受けることなく伝わることになり、コマ収差量検出の精度向上に効果を発揮することとなる。
【００１２】
次にＲＦ信号品質検出器５０のフレームパターン検知器５１について説明する。
図２はＲＦ信号品質検出器５０の動作を示すフローチャートであり、図３はＲＦ信号品質検出器５０の構成を示すブロック図である。
図３に示すように、ＲＦ信号品質検出器５０は、フレームパターン検知器５１、遅延回路５２、５３、ＡＮＤゲート５４、ラッチ回路５５、及び減算器５６を有する。
フレームパターン検知器５１は、イコライザ部４０によって波形整形されたＲＦ信号のうちのＲＦ信号品質検出器５０で使用するスペース信号の最長周期信号（１４Ｔ信号）を検出するためのものであり、入力信号のＭＳＢ（最上位ビット）からスペース信号の入力を判断し、１４Ｔ信号のパターンマッチングを行う。
ＡＮＤゲート５４には、一方の入力端子にフレームパターン検知器５１の出力（フレームパターンマッチ信号）が入力され、他方の入力端子には遅延回路５２によってイコライズ後のＲＦ信号と遅延量合わせされたＬＰＰ検知回路７０からのＬＰＰ検出信号が反転されて入力される。
【００１３】
したがって、ＡＮＤゲート５４から出力される１４Ｔ信号のフレームパターンマッチ信号（match pat h）は、以下の２条件を満たしている場合にのみアクティブ（オン）になる（図２のステップＳ１３）。
（１）ＬＰＰ信号が検出されていないこと（図２のステップＳ１１）
（２）１４Ｔ信号はスペースであること（図２のステップＳ１２）
（１）はＬＰＰ信号のＲＦ信号に対するもれ込みの影響を回避することができ、（２）では特にＲメディア（ＤＶＤ＋Ｒ、ＤＶＤ−Ｒ等）で顕著に見られる書き込みピット歪みによるＲＦ信号歪みの影響を回避することができる。また、（１）のＬＰＰ信号は、現在トラッキングされているトラックに対するＬＰＰ信号だけで無く、隣接トラックに対するＬＰＰ信号も合わせて検出するため、さらに完全なもれ込み影響の回避を実現できる。
これらの条件によって、より精度の高い、安定した収差量検出が行われることとなる。また、検出信号は１４Ｔのみではなく（４Ｔ＋４Ｔ＋１４Ｔ＋４Ｔ＋４Ｔ）のフレームパターンとしているが、これは１４Ｔの前後データの変動による符号間干渉変動と、光ディスクにおける０次スポットと１次リングとの間の距離から想定される波形干渉の影響によるＲＦ波形歪みの対策である。
【００１４】
次にＲＦ信号品質検出器５０のＲＦ信号品質検出機能部について説明する。
ＲＦ信号品質検出器５０では、イコライザ部４０から出力されたフレームパターン信号（４Ｔ＋４Ｔ＋１４Ｔ＋４Ｔ＋４Ｔ）内の１４Ｔスペース信号のＡ点とＢ点の差分（Ｂ−Ａ）値を検出収差量として導く処理を行っている。
イコライザ部４０からのｅｑ後ＲＦ信号は遅延回路５３によるシフトレジスタに入力されており、フレームパターン検知器５１からＡＮＤゲート５４を経て入力されるパターンマッチ信号（match pat h）をトリガとして（図２のステップＳ１）、Ａ点とＢ点の信号をラッチ回路５５にラッチして減算器５６で減算し、その差分（Ｂ−Ａ）値つまり検出収差量が更新・保持されることとなる。そして、一度保持された検出収差量は、次のパターンマッチ信号が入力されるまでメモリされ続けることになる（図２のステップＳ２）。
以上はプッシュプル信号からのＬＰＰ信号を常時検出、監視し、ＬＰＰ信号を避けるタイミングで１４Ｔスペース信号を検出し、収差量を算出する例である。
【実施例２】
【００１５】
次に、本発明の別の実施例として次のような方式が考えられる。
上述した実施例１では、プッシュプル信号からのＬＰＰ信号を常時検出、監視し、ＬＰＰ信号の存在する１４Ｔ信号では収差量検出を行わない方式をとっているが、次の実施例２では、ＬＰＰ信号検出は一度あるいは複数回のみ行い、ここで得られたＬＰＰ信号検出位置と物理フォーマットから以降のＬＰＰ位置についての予測を立て、ＬＰＰ信号の存在する１４Ｔ信号における収差量検出の回避を行う方式である。
図４は本実施例で用いる予測器付きＬＰＰ検知回路１１０の構成を示すブロック図である。
図示のように、本例のＬＰＰ検知回路１１０は上述したＬＰＰ検知回路７０と同様の２個のＬＰＰ比較器１１１、１１２とＯＲゲート１１３に加えて、２トラック分の２個のＬＰＰ予測器（プリディクタ）１１４、１１５とＯＲゲート１１６、１１７を有し、プッシュプル信号を各ＬＰＰ予測器１１４、１１５に入力し、予測信号をＯＲゲート１１６でＯＲし、その出力をＯＲゲート１１３の出力とＯＲゲート１１７でＯＲする構成となっている。
このような構成では、仮にＬＰＰ比較器１１１、１１２にて誤検出が発生した場合でも、ＬＰＰ予測器１１４、１１５にてＬＰＰ出現位置の予測計算を繰り返し行うことで、それがカバーされ、より信頼性の高い収差量検出を行うことができる。
【００１６】
ＬＰＰ出現位置の予測は、ＤＶＤメディアにおいてＬＰＰの存在する、ＤＶＤ−Ｒ／ＲＷの物理フォーマットを利用して行うため、まずはその中から本例で利用する部分についてのみ図５〜図１３を用いて簡潔に説明する。
まず図５（ａ）にＤＶＤの外観を示す。一般に、どのＤＶＤメディアでも同様の寸法であり、また、データが内周側から外周側へ、スパイラル（渦巻き）状に一本の線上へ書き込まれている点についても同様である。
しかし、例えば図５（ｂ）に示すように、メディアを拡大してミクロ的に見た場合、それぞれのフォーマットの違いを有している。例えば、ＤＶＤ−ＲＯＭのような読み込み専用のメディアにおいては、当然のことながら既にメディア上にデータが書き込まれており、レーザ光はそのデータに沿ってトラッキング・フォーカシングされ、スピンドルモータによるディスクの回転制御が行われる。
しかし、ＤＶＤ−Ｒ／ＲＷ、＋Ｒ／ＲＷ、−ＲＡＭといった書き込み可能なメディアの、特にブランクディスクについては未だデータが書かれていないため、上記のような制御を行うためには実データとは別の何かが必要となる。その役を担うのがグルーブである。グルーブはディスクの内周側から外周側にスパイラル上に刻まれた溝部（あるいは突出部）であり、レーザ光はこれに沿ってトラッキング・フォーカシングされる。また、このグルーブは、各メディアによって一定の周波数でウォブリングされており、このウォブル信号の周波数を検出することによって、ディスクの回転速度を制御している。
ディスク回転制御方式において、ＤＶＤ−Ｒ／ＲＷはＣＬＶ（線速度一定）であり、ＣＡＶ（角速度一定）と比べ、高密度記録に有利なものとなっている。なお、詳細は図５（ｃ）に示す。また、本例で検出を行おうとしているＬＰＰについてはＤＶＤ−Ｒ／ＲＷ特有のものであり、これは記録時の正確なアドレッシングを目的としている。
【００１７】
次に、図６を用いてＬＰＰとウォブル、その他のフォーマットについて説明する。図６（ａ）はフレームデータの構成例を示し、図６（ｂ）はプリピットデータの構成を示している。
図６（ａ）に示すように、１フレームデータは８ウォブル、１物理セクタは２６フレームデータで構成されている。
それぞれのフレームデータの初めの３ウォブルがＬＰＰの書かれた位置であり、３個のＬＰＰの組み合わせで１ｂｉｔのプリピットデータとしている。データ書き込み時において、１４Ｔ信号はプリピットデータの最初のＬＰＰ（ｂ２）位置に書かれる。１物理セクタ中は、０番目もしくは１番目のフレームのどちらかにＳＹＮＣコードが書かれており、以降の２〜２５番目フレームには、０番目フレームにＳＹＮＣコードが書かれていれば偶数番目にのみ、１番目フレームであれば奇数番目にのみＬＰＰコードが書かれている。つまり１物理セクタ辺り、２６÷２＝１３ｂｉｔのＬＰＰプリピットコードが書かれており、これをひとまとまりとしてディスクのアドレス等の情報が書かれている。
【００１８】
次に、このようなフォーマットを踏まえ、本例におけるＬＰＰ位置予測について説明する。図７及び図８は本例のＬＰＰ位置予測動作に関するフローチャートであり、図９は本例のＬＰＰ位置予測動作に関するタイミングチャートである。
まずは、今現在レーザ光が照射されているトラックのＬＰＰ（以下、現トラックＬＰＰという）の位置予測方式について説明する。ここでは、現トラックＬＰＰコードが偶数／奇数どちらのフレームにあるかを検出し、ＬＰＰコードの存在するフレームでは１４Ｔ信号の書かれているＬＰＰ、ｂ２のあるウォブル信号で収差量検出をＮＧ（無効）とするマスキング信号（ｗ＿ｍｓｋ）を立たせることをメインルーチンとしている。
図７（ａ）に示すカウンタ初期化フローにおいて、プリピットＳＹＮＣコードを検知し（Ｓ２１）、ウォブルカウンタｗｃ＝０として（Ｓ２２）、ＳＹＮＣコードが偶数か奇数か判断し（Ｓ２３）、偶数ならフレームカウンタｆｃ＝０とし（Ｓ２４）、奇数ならフレームカウンタｆｃ＝１とする（Ｓ２５）。
また、図７（ｂ）のウォブルカウンタフローにおいて、ウォブルの立ち上がりを検知し（Ｓ２６）、ウォブルカウンタｗｃをインクリメントしていく（Ｓ２７）。そして、図７（ｃ）のウォブルマスクフローにおいて、ウォブルカウンタｗｃが１５になると（Ｓ２８）、ウォブルマスク信号（ｗ＿ｍｓｋ）を１とし（Ｓ２９）、１４Ｔ信号を検知した場合には（Ｓ３０）、ウォブルマスク信号（ｗ＿ｍｓｋ）を０とする（Ｓ３１）。
【００１９】
また、このメインルーチン処理と並行して、何かのトラブルで現トラックＬＰＰコードの偶数／奇数判断ができなかった場合のために、フレームカウンタを用意し、トラブル発生時は次にプリピットＳＹＮＣコードが検出されるまで（つまり次の物理セクタまで）、今回の物理セクタにおける全収差量検出をＮＧ（無効）とするマスキング信号（ｆ＿ｍｓｋ）を立たせ、より信頼性を向上させている。
すなわち、図８（ａ）のフレームカウンタフローにおいて、１４Ｔ信号を検知する度に（Ｓ３２）、フレームカウンタｆｃをインクリメントしていく（Ｓ３３）。そして、図８（ｂ）に示すフレームマスクフローでは、ウォブルカウンタｗｃが２５になると（Ｓ３４）、フレームマスク信号（ｆ＿ｍｓｋ）を１とし（Ｓ３５）、プリピットＳＹＮＣコードを検知した場合には（Ｓ３６）、フレームマスク信号（ｆ＿ｍｓｋ）を０とする（Ｓ３７）。
そして、これら２つのマスク信号（ｗ＿ｍｓｋ、ｆ＿ｍｓｋ）が立っていない場合にのみ、現トラックＬＰＰと１４Ｔ信号の共存は無いものとする。これは、図８（ｃ）に示す現トラックＬＰＰによる収差量検出可否フローにおいて、２つのマスク信号（ｗ＿ｍｓｋ、ｆ＿ｍｓｋ）のいずれかが１である場合に（Ｓ３８）、収差量検出をＮＧ（無効）とし（Ｓ３９）、いずれも０である場合には、収差量検出をＯＫ（有効）とする（Ｓ４０）。
【００２０】
次に、現トラックの１トラック前のＬＰＰ（以下、前トラックＬＰＰという）の位置予測方式について説明する。
図１０は、ある瞬間における現トラックＬＰＰと前トラックＬＰＰの位置関係の一例を示している。既にフォーマットの説明で述べた通り、ＤＶＤ−Ｒ／ＲＷにおけるディスク回転制御方式はＣＬＶ（線速度一定）であり、また、ウォブル周波数も一定（＝１４０[ＫＨｚ]）であるので、オシロスコープなどで現トラックＬＰＰにトリガをかけてウォブル信号を確認すると、上記周波数のウォブル信号が確認される。しかし、これはあくまでも現トラックに対するウォブル信号の振る舞いであり、レーザ光の照射で同時に見えてしまう前トラックＬＰＰに対しては条件が変わってくる。
なお、その詳細は図１１に示し、ここでの説明は簡単なものとする。ＣＬＶ方式である事から、ＬＰＰコードはスパイラル状の一本のランド（トラック間の空間）に等距離間隔で刻まれている。また、現トラックの円周と前トラックの円周は半径の差分（つまり１トラックピッチ分）相違しており、前トラックの方が短い。この事から、ディスクを回転させて現トラックＬＰＰと前トラックＬＰＰを共に観測した際、現トラックに比べ円周の短い前トラックのＬＰＰ出現タイミングが遅れる。この現象が続いて、現トラックＬＰＰと前トラックＬＰＰが丁度交わった時（グルーブを挟んで現トラックＬＰＰと前トラックＬＰＰが同位置に存在した時）、信号の干渉が発生するため、偶数／奇数という２種類のフレームの切り替えが行われている。
【００２１】
通常、現トラックＬＰＰは偶数フレームに書かれており、前フレームＬＰＰとの干渉が発生する恐れのある場合にのみ、その物理セクタにおけるＬＰＰを奇数フレームへと移動させている。奇数フレームは偶数フレームの８ウォブル先にあり、また奇数フレームに現トラックＬＰＰがある時は、偶数フレーム位置付近に前トラックＬＰＰがある時なので、このことから、現トラックＬＰＰが奇数フレームにある場合、収差量検出はＮＧ（無効）となる。図１３（ａ）の初期設定フロー及び図１２（ｂ）の前トラックＬＰＰによる収差量検出可否フローがこの動作を示している。
また、図１１に示した通り、現トラックＬＰＰに前トラックＬＰＰが接近する速度（以下、相対線速度という）は一定では無く、現トラック半径（＝ｒ０）の大きさと共に変動するので、相対線速度は常に計算・更新し続けなくてはならない。図１２（ａ）の相対線速度計算フローがこの動作を示している。
【００２２】
以下、これらを踏まえ、前トラックＬＰＰ位置予測方式の各フローチャートの説明を行う。
まずは図１３（ａ）の初期設定フローについて説明する。
上述したように、現トラックＬＰＰが奇数フレームにある間、ＬＰＰ信号の無い１４Ｔ信号の検出はほぼ見込めないので、まずは現トラックＬＰＰの偶数ＳＹＮＣコードの検出を行うことになる（Ｓ５１、Ｓ５２）。次に現トラックＬＰＰ直後の前トラックＬＰＰを検出し（Ｓ５３）、現トラックに対する前トラックの初期相対距離（Ｌｉｎｉｔ）を検出する（Ｓ５４）。そして、このＬｉｎｉｔの値から、現在前トラックＬＰＰがどの領域にあるのかを判別する（Ｓ５５〜Ｓ５９）。
現トラックＬＰＰが偶数フレームにある場合、ＬＰＰの存在しない１４Ｔ信号は現トラックＬＰＰ＿ｂ２から８ウォブル目（奇数フレームの最初のウォブル位置）となるので、この８ウォブル目周辺に前トラックＬＰＰが現れた時が収差量検出ＮＧとなる。図１０で説明すると、図中の斜線部である収差量検出領域に前トラックＬＰＰが現れた時がＮＧとなる。また、前トラックＬＰＰの進行方向は左方向であるので、領域の右端が入口、左端が出口となる。この入口・出口までの相対距離をＬｉ・Ｌｏとし、初期位置の前トラックＬＰＰが領域に出入りする距離を求め、さらに、ビームスポットが現トラックＬＰＰコードを何個通過すれば、各位置に到達するかを計算する（図１１参照）。
この個数をそれぞれ領域ＩＮ・ＯＵＴカウンタ、Ｃｉｎ・Ｃｏｕｔにプリセット（出入りが無い場合は０をプリセット）して初期設定は終了し、次のフローに移行する（Ｓ６０）。
【００２３】
次に、図１２（ａ）に示すように、相対速度計算フローについて説明する。まずディスク上のアドレス情報を取得し（Ｓ７１）、このアドレス情報から現トラック半径を計算し（Ｓ７２）、この半径から、現トラックに対する前トラックの相対線速度を計算する（Ｓ７３）。
次に図１２（ｂ）の前トラックＬＰＰによる収差量検出可否フローについて説明する。
この初期設定フローにおいて、それぞれ通過現トラックＬＰＰコード数を代入されたＣｉｎ・Ｃｏｕｔはどちらも現トラックＬＰＰコード検知と共にダウンカウントされる。ただし、ＣｏｕｔはＣｉｎが０になってから、ダウンカウント開始となる。
まず、Ｃｉｎが０でない場合（Ｓ６１）、現ＬＰＰ＿ｂ２を検知する毎に（Ｓ６２）、Ｃｉｎをデクリメントし（Ｓ６３）、Ｓ６１に戻る。そして、Ｃｉｎが０になると、収差量検出ＮＧ（ｄｆｃｔ＝１）として（Ｓ６４）、Ｃｏｕｔが０でない場合（Ｓ６５）、現ＬＰＰ＿ｂ２を検知する毎に（Ｓ６６）、Ｃｏｕｔをデクリメントし（Ｓ６７）、Ｓ６５に戻る。そして、Ｃｏｕｔが０になると、収差量検出ＯＫ（ｄｆｃｔ＝０）として（Ｓ６８）、現ＬＰＰ奇数ＳＹＮＣコードを検知した後（Ｓ６９）、初期設置フローに移行する。
このフローにより、収差量検出領域への前トラックＬＰＰコードの出入りがカウンタの振る舞いで確認され、これにより収差量検出ＯＫ・ＮＧの切り替えを行うことができる。また、前トラックＬＰＰコードが出口を抜けてからは、現トラックＬＰＰと前トラックＬＰＰが交わるまで収差量検出がＯＫ（有効）で有るため、フローの最終段で現トラックＬＰＰの奇数ＳＹＮＣコード検出を待ち、再び初期設定フローへ戻ることになる。
【００２４】
次に図１３（ｂ）の接近距離監視フローについて説明する。
この処理は、先に述べた前トラックＬＰＰの収差量検出可否フローと並行して行われる処理である。ここでは、現トラックＬＰＰコード検知毎に前トラックＬＰＰコードの相対距離を求めることで前トラックＬＰＰコードの接近量を導き、初期設定やＬＰＰコード検出が正確に行われているかを監視している。そして、接近量が計算値ΔＬと食い違った場合はエラ−カウンタＥｒｒをアップし、それが規定値（α）以上となった時点で緊急事態発生と判断し、現在の処理を中止して初期設定フローから再スタートとなる。
図１３（ｂ）において、まずＳ８１でエラ−カウンタＥｒｒを０に初期化し、現ＬＰＰ＿ｂ２及び前ＬＰＰ＿ｂ２を検知する毎に（Ｓ８２、Ｓ８３）、相対距離Ｌを検知して今回の前ＬＰＰ＿ｂ２相対距離Ｌｎ ＝Ｌとし（Ｓ８４）、前回の前ＬＰＰ＿ｂ２相対距離Ｌｎ−１ について、Ｌｎ−１ −Ｌｎ ＝ΔＬを判定し（Ｓ８５）、ｙｅｓであれば、Ｌｎ−１ ＝Ｌｎ として（Ｓ８６）、Ｓ８２に戻る。また、ｎｏであれば、エラ−カウンタＥｒｒをアップし、その値がα未満なら（Ｓ８８）、Ｓ８２に戻り、α以上なら、割り込みを発生させて、収差量検出可否フローを強制終了し、初期設定フローに移行する。
なお、以上の実施例では、光ディスク再生装置について説明したが、本発明は光ディスク記録再生装置の再生系についても同様に適用できるものである。
【図面の簡単な説明】
【００２５】
【図１】本発明の実施例による光ディスク再生装置の全体構成を示すブロック図である。
【図２】図１に示す光ディスク再生装置のＲＦ信号品質検出器の動作を示すフローチャートである。
【図３】図１に示す光ディスク再生装置のＲＦ信号品質検出器の構成を示すブロック図である。
【図４】本発明の実施例２で用いる予測器付きＬＰＰ検知回路の構成を示すブロック図である。
【図５】図４に示す実施例２で用いるＤＶＤの構成を示す説明図である。
【図６】図５に示すＤＶＤにおけるＬＰＰとウォブル等のフォーマットを示す説明図である。
【図７】図４に示す予測器付きＬＰＰ検知回路を用いたＬＰＰ位置予測動作のための各処理を示すフローチャートである。
【図８】図４に示す予測器付きＬＰＰ検知回路を用いたＬＰＰ位置予測動作のための各処理を示すフローチャートである。
【図９】図７及び図８の動作時における信号タイミングを示すタイミングチャートである。
【図１０】図５に示すＤＶＤのトラッキング時の現トラックＬＰＰと前トラックＬＰＰの位置関係の一例を示す説明図である。
【図１１】図５に示す現トラックＬＰＰと前トラックＬＰＰの接近距離を算出する際の計算式を示す説明図である。
【図１２】図４に示す予測器付きＬＰＰ検知回路を用いたＬＰＰ位置予測動作のための各処理を示すフローチャートである。
【図１３】図４に示す予測器付きＬＰＰ検知回路を用いたＬＰＰ位置予測動作のための各処理を示すフローチャートである。
【図１４】ＤＶＤのＲＦ再生信号に含まれるピット信号の波形歪みを示す波形図である。
【図１５】ＤＶＤのＲＦ再生信号に含まれるＬＰＰ信号による波形歪みを示す波形図である。
【符号の説明】
【００２６】
１０……光ピックアップ、２０……ＲＦアンプ回路、３０……オートゲイン調整回路、４０……イコライザ部、５０……ＲＦ信号品質検出器、６０……プッシュプル信号検出回路、７０……ＬＰＰ検知回路、８０……ＰＬＬ部、９０……Ａ／Ｄ変換器、１００……Ｄ／Ａ変換器。
【図１】
2005310248.tif 000003
【図２】
2005310248.tif 000004
【図３】
2005310248.tif 000005
【図４】
2005310248.tif 000006
【図５】
2005310248.tif 000007
【図６】
2005310248.tif 000008
【図７】
2005310248.tif 000009
【図８】
2005310248.tif 000010
【図９】
2005310248.tif 000011
【図１０】
2005310248.tif 000012
【図１１】
2005310248.tif 000013
【図１２】
2005310248.tif 000014
【図１３】
2005310248.tif 000015
【図１４】
2005310248.tif 000016
【図１５】
2005310248.tif 000017